(57)【要約】      （修正有）【課題】組合せ式電力出力ポートのパワーサプライの提供。【解決手段】パワーサプライは複数の電力出力ポートを備え、該複数の電力出力ポート中には少なくとも１個のユニット出力ポート２０を含む。該ユニット出力ポートは２個の端子槽を設置し、該２個の端子槽中にはそれぞれ異なる電位の電力端子を設置する。しかも該ユニット出力ポートは他の電力出力ポートと相互に組み合わされ、別の電圧出力を備えた組合せ出力ポート３０となる。こうして本考案は使用者の様々なニーズに応じて、ユニット出力ポートと他のユニット出力ポート、或いはユニット出力ポートと基準出力ポートの組合せにより転換し必要な電圧出力を形成し、パワーサプライ本体に異なる電力出力規格、組数をフレキシブルに提供することができる。【選択図】図２
0003129594.tif 000002
【実用新案登録請求の範囲】
【請求項１】
パワーサプライ本体、電力出力ポート、ユニット出力ポート、複数の伝送線を含み、
該パワーサプライ本体に設置する複数の電力出力ポートは、それぞれ複数の電力端子を備え、且つ該複数の電力出力ポートはさらに少なくとも１個のユニット出力ポートを備え、該ユニット出力ポートは２個の端子槽を設置し、該２個の端子槽中にはそれぞれ異なる電位の電力端子を設置し、
該複数の伝送線は該電力出力ポート、該ユニット出力ポートに電気的に連接し、しかも該ユニット出力ポートと他の電力出力ポートは該伝送線により、備える電位を組合せ、組合せ出力ポートを形成し、電源を単一装置に提供することを特徴とする組合せ式電力出力ポートのパワーサプライ。
【請求項２】
請求項１記載の組合せ式電力出力ポートのパワーサプライにおいて、前記ユニット出力ポートの電力端子はそれぞれ火線電力線とアース電力端子、或いは相対的に高電位の火線電力端子と相対的に低電位の火線電力端子の組合せであることを特徴とする組合せ式電力出力ポートのパワーサプライ。
【請求項３】
請求項１記載の組合せ式電力出力ポートのパワーサプライにおいて、前記組合せ出力ポートは該ユニット出力ポートと他の少なくとも１個のユニット出力ポートの組合せにより形成されることを特徴とする組合せ式電力出力ポートのパワーサプライ。
【請求項４】
請求項１記載の組合せ式電力出力ポートのパワーサプライにおいて、前記複数の電力出力ポートはさらに基準出力ポートを含み、しかも該組合せ出力ポートは該ユニット出力ポートと該基準出力ポートの組合せにより形成されることを特徴とする組合せ式電力出力ポートのパワーサプライ。
【請求項５】
請求項４記載の組合せ式電力出力ポートのパワーサプライにおいて、前記基準出力ポートはSATA規格の出力ポート、或いはマザーボードに電力を供給する２０ピン規格、或いはCPUに電力を供給する４ピン規格、PCI Express規格の出力ポート、大4P規格(Peripheral Power Connector,4P)の出力ポートであることを特徴とする組合せ式電力出力ポートのパワーサプライ。
【請求項６】
請求項１或いは請求項４或いは請求項５記載の組合せ式電力出力ポートのパワーサプライにおいて、前記組合せ出力ポートはSATA電力規格に適用する電圧出力、或いはマザーボード電力規格に適用する電圧出力、或いはCPU電力規格に適用する電圧出力、或いはグラフィクスカード電力規格に適用する電圧出力を備えることを特徴とする組合せ式電力出力ポートのパワーサプライ。
【請求項７】
請求項１記載の組合せ式電力出力ポートのパワーサプライにおいて、前記ユニット出力ポートはある連接手段により他の電力出力ポートを相互に並列組み合わせることを特徴とする組合せ式電力出力ポートのパワーサプライ。
【請求項８】
請求項７記載の組合せ式電力出力ポートのパワーサプライにおいて、前記連接手段は該ユニット出力ポートと該電力出力ポートにおいてそれぞれ相互に対応する組合せ槽と固定部を設置する技術手段を含むことを特徴とする組合せ式電力出力ポートのパワーサプライ。
【請求項９】
請求項１記載の組合せ式電力出力ポートのパワーサプライにおいて、前記パワーサプライ本体は該ユニット出力ポートに対応し標示点を設置し、使用者に提示することを特徴とする組合せ式電力出力ポートのパワーサプライ。
【考案の詳細な説明】
【技術分野】
【０００１】
本考案は一種のパワーサプライに関する。特に一種の組合せ式電力出力ポートのパワーサプライに係る。
【背景技術】
【０００２】
コンピュータ技術の発展に従い、より多くの製品規格が生み出されている。デュアルコアCPU、グラフィクスカードとインターフェースなど次世代の電子装置が要する電圧はしばしば多くのピンを必要とする電力出力ポートにより提供されるため、一般のパワーサプライによりCPUに電源を供給する場合には、これまではシングルコアのCPUであったため、必要な電力出力ポートは４ピンであった。しかし、現在流行中のデュアルコアCPUでは、電力は８ピンの電力出力ポートにより提供され、グラフィクスカードはPCI Express規格においては、パワーサプライ対応の電力出力ポートは６ピンであるが、デュアルPCI Expressの電力規格は８ピンの電力出力ポートにより電力を供給する。
以上２例の説明により明らかなように、電子製品の電圧における新規格の制定は、パワーサプライメーカーにとっては新たな挑戦の意味合いがある。パワーサプライメーカーは使用者に新規格の出力ポート提供し、電子製品に挿入接続することができるようにするため、新たな製品電圧規格に従い、最短時間内で変更を加え、新たに設計し、適したパワーサプライを製造しなければならない。
しかも、パワーサプライは新たに設計された後、安全規格の検査を通過し、初めて市販することができるが、現在、メーカーが安全規格の検査に費やしている費用は既に重い負担となりつつある。
【０００３】
また、一般的には、パワーサプライが提供する電力出力ポートの数は一定で変化せず、SATA規格の出力ポートにおいては、提供されるピンの数は通常は８組前後で、互換性のあるハードディスクドライブとの挿入接続使用を提供することができる。しかし、これは使用者に対して、コンピュータ内部に８組以上のハードディスクドライブを設置できないよう制限しており、一部の使用者にとって極めて大きな不便となっている。
よって、新たな製品電圧規格が発表される度に(新たな電圧規格がどのようなものであるかが分からない状況においてまで)、出力ポートの相互組合せを通して、別の規格の電圧に転換し出力でき、また未使用の出力ポートを組合せ、使用者が必要とする別種の電圧出力(例えば、前記のSATA出力ポートなど)に転換できるパワーサプライを設計する必要がある。こうすればパワーサプライメーカーと使用者に多大な利点をもたらし、パワーサプライを頻繁に更新、交換する必要がなくなり、新たにリリースされた製品電圧規格に対応し、使用者はコンピュータにおける運用において、よりよい弾力性を備えることができる。
【考案の開示】
【考案が解決しようとする課題】
【０００４】
本考案は組合せ式電力出力ポートのパワーサプライを提供し、本考案のユニット出力ポートを通して複数のユニット出力ポートを相互に組合せ、現有規格の電圧出力を構成し、或いは新規格に適用する電圧出力を構成し、
またそれは組合せ式電力出力ポートのパワーサプライを提供し、本考案のユニット出力ポートと基準出力ポートの相互組合せにより、パワーサプライは元の基準出力ポートの電圧出力を備える他、組合せ後の組合せ出力ポートにより電子装置の次世代電力規格に対応可能な電圧出力を提供することができ、
さらにそれは、使用者の様々なニーズに応じて、ユニット出力ポートと他のユニット出力ポート、或いはユニット出力ポートと基準出力ポートの組合せにより転換し、必要な電圧を出力することができ、こうしてパワーサプライ本体に異なる電圧出力規格、組数をフレキシブルに提供し、日進月歩で生み出される新たな電力規格に対応し、パワーサプライ本体の電力出力の臨機応変性を向上させることができ、
すなわちそのパワーサプライは複数の電力出力ポートを備え、しかも該複数の電力出力ポート中には少なくとも１個のユニット出力ポートを含み、該ユニット出力ポートは２個の端子槽を設置し、該２個の端子槽はそれぞれ異なる電位の電力端子を設置し、しかも該ユニット出力ポートは他の電力出力ポートを相互に組合せ、別の電圧出力を備える組合せ出力ポートを形成する組合せ式電力出力ポートのパワーサプライを提供する。
【課題を解決するための手段】
【０００５】
請求項１の考案は、パワーサプライ本体、電力出力ポート、ユニット出力ポート、複数の伝送線を含み、
該パワーサプライ本体に設置する複数の電力出力ポートは、それぞれ複数の電力端子を備え、且つ該複数の電力出力ポートはさらに少なくとも１個のユニット出力ポートを備え、該ユニット出力ポートは２個の端子槽を設置し、該２個の端子槽中にはそれぞれ異なる電位の電力端子を設置し、
該複数の伝送線は該電力出力ポート、該ユニット出力ポートに電気的に連接し、しかも該ユニット出力ポートと他の電力出力ポートは該伝送線により、備える電位を組合せ、組合せ出力ポートを形成し、電源を単一装置に提供することを特徴とする組合せ式電力出力ポートのパワーサプライとしている。
請求項２の考案は、請求項１記載の組合せ式電力出力ポートのパワーサプライにおいて、前記ユニット出力ポートの電力端子はそれぞれ火線電力線とアース電力端子、或いは相対的に高電位の火線電力端子と相対的に低電位の火線電力端子の組合せであることを特徴とする組合せ式電力出力ポートのパワーサプライとしている。
請求項３の考案は、請求項１記載の組合せ式電力出力ポートのパワーサプライにおいて、前記組合せ出力ポートは該ユニット出力ポートと他の少なくとも１個のユニット出力ポートの組合せにより形成されることを特徴とする組合せ式電力出力ポートのパワーサプライとしている。
請求項４の考案は、請求項１記載の組合せ式電力出力ポートのパワーサプライにおいて、前記複数の電力出力ポートはさらに基準出力ポートを含み、しかも該組合せ出力ポートは該ユニット出力ポートと該基準出力ポートの組合せにより形成されることを特徴とする組合せ式電力出力ポートのパワーサプライとしている。
請求項５の考案は、請求項４記載の組合せ式電力出力ポートのパワーサプライにおいて、前記基準出力ポートはSATA規格の出力ポート、或いはマザーボードに電力を供給する２０ピン規格、或いはCPUに電力を供給する４ピン規格、PCI Express規格の出力ポート、大4P規格(Peripheral Power Connector,4P)の出力ポートであることを特徴とする組合せ式電力出力ポートのパワーサプライとしている。
請求項６の考案は、請求項１或いは請求項４或いは請求項５記載の組合せ式電力出力ポートのパワーサプライにおいて、前記組合せ出力ポートはSATA電力規格に適用する電圧出力、或いはマザーボード電力規格に適用する電圧出力、或いはCPU電力規格に適用する電圧出力、或いはグラフィクスカード電力規格に適用する電圧出力を備えることを特徴とする組合せ式電力出力ポートのパワーサプライとしている。
請求項７の考案は、請求項１記載の組合せ式電力出力ポートのパワーサプライにおいて、前記ユニット出力ポートはある連接手段により他の電力出力ポートを相互に並列組み合わせることを特徴とする組合せ式電力出力ポートのパワーサプライとしている。
請求項８の考案は、請求項７記載の組合せ式電力出力ポートのパワーサプライにおいて、前記連接手段は該ユニット出力ポートと該電力出力ポートにおいてそれぞれ相互に対応する組合せ槽と固定部を設置する技術手段を含むことを特徴とする組合せ式電力出力ポートのパワーサプライとしている。
請求項９の考案は、請求項１記載の組合せ式電力出力ポートのパワーサプライにおいて、前記パワーサプライ本体は該ユニット出力ポートに対応し標示点を設置し、使用者に提示することを特徴とする組合せ式電力出力ポートのパワーサプライとしている。
【考案の効果】
【０００６】
本考案は使用者の様々なニーズに応じて、ユニット出力ポートと他のユニット出力ポート、或いはユニット出力ポートと基準出力ポートの組合せにより転換し、必要な電圧を出力することができる。こうしてパワーサプライ本体に異なる電圧出力規格、組数をフレキシブルに提供し、日進月歩で生み出される新たな電力規格に対応し、パワーサプライ本体の電力出力の臨機応変性を向上させることができる。
【考案を実施するための最良の形態】
【０００７】
本考案第一最適実施例の構造図と出力ポートの電位表示図である図１、２に示すように、本考案組合せ式電力出力ポートのパワーサプライは、一般的にはパワーサプライ本体１０は複数の電力出力ポートを備える。該各電力出力ポートは12V、5V、3.3V、Gなどの相互に異なる電位の組合せにより構成する電圧出力を備える。
本考案の電力出力ポートはさらに少なくとも１個のユニット出力ポート２０を備え、しかも該パワーサプライ本体１０は該ユニット出力ポート２０に対応し標示点１１を設置し、それが属する電位を標示し使用者に提示する。
該ユニット出力ポート２０は２個の端子槽２１を設置し、該２個の端子槽２１中にはそれぞれ異なる電位の電力端子を設置し、本実施例中の３個のユニット出力ポート２０が備える電位はそれぞれ「12V、G」、「5V、G」、「3.3V、G」で、SATA形式の組合せ出力ポート３０を備え、伝送線３１とその上の連接台３２を通して、該３個のユニット出力ポート２０にそれぞれ連接する。これにより該ユニット出力ポート２０とその他ユニット出力ポート２０は該各「12V、G」、「5V、G」、「3.3V、G」により相互に組み合わされ、SATA電圧出力(12V、G、5V、G、3.3V、G)を備えた組合せ出力ポート３０を構成する。
該ユニット出力ポート２０の電力端子はそれぞれ火線電力線とアース電力端子、或いは相対的に高電位の火線電力端子と相対的に低電位の火線電力端子の組合せにより、それぞれ下記の実施例中に使用される。
【０００８】
次に本考案第二最適実施例の構造図と出力ポートの電位表示図である図３、４に示すように、本考案第二最適実施例は基準出力ポート４０を含み、しかも該基準出力ポート４０の形式はSATA規格、PCI Express規格、大4P規格(Peripheral Power Connector,4P)、マザーボードに電力を供給する２０ピン規格、或いはCPUに電力を供給する４ピン規格である。しかも該組合せ出力ポート３０は該基準出力ポート４０により該ユニット出力ポート２０に対応する方式により組合せ形成される。
本実施例中の該基準出力ポート４０は大4P規格で、それが備える電位はそれぞれ12V、G、G、5Vで、組合せ出力ポート３０aはSATA形態である。該ユニット出力ポート２０が備える電位3.3V、Gを通して、該基準出力ポート４０は該ユニット出力ポート２０と組み合わされSATA規格が必要な電位12V、G、5V、G、3.3Vを構成する。転換方法は該組合せ出力ポート３０aにおいて、伝送線３１aと連接台３２aを設置し、該基準出力ポート４０と該ユニット出力ポート２０に接続するもので、これにより未使用の基準出力ポート４０を該ユニット出力ポート２０を通して組合せ、別種の使用者が必要な電圧出力(例えば、SATA規格など)に転換する。
【０００９】
本考案第三最適実施例の構造図である図５に示すように、本実施例中の基準出力ポート４０aはシングルコアCPUの４ピン出力ポートに電力を供給する。
現在、デュアルコアCPUが必要な電力は８ピンの電力出力ポートにより提供されるため、該基準出力ポート４０aと該２個のユニット出力ポート２０の相互組合せを利用する。その組合せ出力ポート３０bはデュアルコアCPUが必要な８ピンに符合する電力出力ポートとなり、しかも本実施例中の該ユニット出力ポート２０と該基準出力ポート４０aは該パワーサプライ本体１０により直接線を延伸する形態を取る。
【００１０】
本考案第四最適実施例の電位表示図である図６、７に示すように、グラフィクスカードのPCI Expressは６ピンを備えるが、新たな電力規格に対応するため８ピンに改変される可能性があり、しかも現在業界では新たに増設する２ピンの電位をどうするか未制定である。
本実施例中では、基準出力ポート４０bはPCI Express規格の出力ポートで、該ユニット出力ポート２０との組合せにより、将来の新規格で増設される２ピンの電位が「12V、G」、「5V、G」、「3.3V、G」であっても、２個が高電位、低電位の火線端子の組合せであっても、使用者は複数のユニット出力ポート２０中から対応するユニット出力ポート２０を探し出すことができる。さらに、それと該基準出力ポート４０bを組合せ、新規格に符合する組合せの出力ポート３０cを形成することができる。
【００１１】
本考案第五最適実施例の構造図と出力ポートの電位表示図である図９、１０に示すように、現在パワーサプライ本体１０により電力を供給するマザーボードの電力出力ポートは、２０ピンと２４ピンの２種に区分される。本実施例中では該基準出力ポート４０cは前記２０ピンの電力出力ポートで、２個の電位は「12V、G」、「5V、3.3V」のユニット出力ポート２０とその組合せで、２４ピンが必要とする電位に符合する組合せ出力ポート３０dを形成する。
上記各実施例中の該ユニット出力ポート２０は、該ユニット出力ポート２０と該電力出力ポートにおいてそれぞれ相互に対応する組合せ槽５０と固定部６０を設置する技術手段などの連接手段により、他のユニット出力ポート２０、或いは基準出力ポート４０を相互に並列し組み合わせることができる。
【図面の簡単な説明】
【００１２】
【図１】本考案第一最適実施例の構造図と出力ポートの電位表示図である。
【図２】本考案第一最適実施例の構造図と出力ポートの電位表示図である。
【図３】本考案第二最適実施例の構造図と出力ポートの電位表示図である。
【図４】本考案第二最適実施例の構造図と出力ポートの電位表示図である。
【図５】本考案第三最適実施例の構造図である。
【図６】本考案第四最適実施例の電位表示図である。
【図７】本考案第四最適実施例の電位表示図である。
【図８】本考案第四最適実施例の電位表示図である。
【図９】本考案第五最適実施例の構造図と出力ポートの電位表示図である。
【図１０】本考案第五最適実施例の構造図と出力ポートの電位表示図である。
【符号の説明】
【００１３】
１０  パワーサプライ本体
１１  標示点
２０  ユニット出力ポート
２１  端子槽
３０  組合せ出力ポート
３１  伝送線
３２  連接台
４０  基準出力ポート
３０a  組合せ出力ポート
３１a  伝送線
３２a  連接台
４０a  基準出力ポート
３０b  組合せ出力ポート
４０b  基準出力ポート
３０c  出力ポート
４０c  基準出力ポート
３０d  組合せ出力ポート
５０  組合せ槽
６０  固定部
【図１】
0003129594.tif 000003
【図２】
0003129594.tif 000004
【図３】
0003129594.tif 000005
【図４】
0003129594.tif 000006
【図５】
0003129594.tif 000007
【図６】
0003129594.tif 000008
【図７】
0003129594.tif 000009
【図８】
0003129594.tif 000010
【図９】
0003129594.tif 000011
【図１０】
0003129594.tif 000012